(57)【要約】      （修正有）【課題】バッグ内の物品が、バッグの持ち運びを繰り返すことにより、バッグ内でばらばらになったり、片寄ったりすることによりバッグの型崩れや、物品を取り出しにくくなることを防止する道具を提供する。【解決手段】バッグの形状に合わせた大きさの固定板に、ループもしくはフックの板状面ファスナー２を広く敷き詰め固定し、一方、フックもしくはループの面ファスナーリボンの端もしくは中央部を固定部５として固定板に固定して列状に多数配置し、持ち運ぶ物品３があれば、固定板上に敷き詰めた板状面ファスナー２と面ファスナーリボンで挟み、物品以外のテープリボンの部分を板状面ファスナー２と嵌合させて固定することにより物品３を動かない状態にし、そのままバッグに入れることによりバッグ内で物品がばらばらになったり片寄ったりすることを防止するほか、そのまま取り出し吊り下げておいたり別のバッグに入れたりできる物品整理具。【選択図】図１
2019063460.tif 000002
【特許請求の範囲】
【請求項１】
バッグや引出しの形状に合わせて用意された固定板（１）と，収納する物品を固定する複数の面ファスナーリボン（４）から成り、該固定板（１）の固定領域全面には板状面ファスナー（２）が固定されて装着され、該面ファスナーリボン（４）は、その一方の端もしくは中央の近傍が固定部（５）として該固定板に固定されて固定領域を敷き詰めるように並べて装着され、固定板（１）の上に置かれた被整理対象である物品（３）を面ファスナーリボン（４）と固定領域の板状面ファスナー（２）で挟み込み抑え固定するものであり、該固定版（１）には吊り具（６）を取り付けることも可能である物品整理具。
【発明の詳細な説明】
【技術分野】
【０００１】  本発明は、バッグ内に物品を整然と収納したり、そのまま取出して壁に掛けたりバッグに戻したりできる物品整理用具に関するものである。
【背景技術】
【０００２】  バッグ内に入れた物品は、持ち運びするうちに一部に寄ってしまったりして、バッグ内に整然と保持することが困難で、バッグを綺麗な形に保つことも困難になったりする。その結果バッグのスペースを有効に使うことが困難となったり必要なものを取り出そうとしてもなかなか見つからず手探りで探すのに時間がかかったりすることも多い。さらに、バッグ内のものを一旦戻し、再びバッグに入れる際に忘れ物をしたりすることも多く、バッグを変えたりする際の負担も大きい。【０００３】  この解決には、整然と並べた物品をバッグに入れられるようにすればよく、バッグ内に小さなスペースをたくさん設けられるようにしたり（特許文献１）、物品整理ケースを引き出せるようにしたり（特許文献２）、物品整理ケース自体を自在に入れ出しが可能なようにするためにバッグ内に入れるバッグを用意する発明（特許文献３）がなされている。【０００４】
【特許文献１】実用新案登録第３０８０１２４号
【０００５】
【特許文献２】特開２００６−１３６４６０
【０００６】
【特許文献３】実用新案登録第３２００７５０号
【発明の開示】
【発明が解決しようとする課題】
【０００７】  バッグ内にどのような物品を収納するかは、利用者によって様々であるため、収納する物品のサイズに合わせて袋や箱をいちいち用意することは面倒であり合理的でもない。【０００８】  バッグの中に入れるバッグにしても、その中の袋をどのように用意するかは、所有する個人により多様であり、多様な形状の物品に共通の袋をあらかじめ用意することはできない。【０００９】  本発明は、このような実情に鑑みて提案されたものであり、携行する物品を板上に並べて面ファスナーのバンドでそれぞれを留めることにより、物品の形状・サイズの如何に関わらず固定でき、複数の物品の配置を整然と維持できる物品整理具を提供する。
【課題を解決するための手段】
【００１０】  上述した目的を達成するために、本発明では板状面ファスナーを全面に貼付した固定板と、一方の端もしくはその一部を固定板に固定した紐状の面ファスナーリボンを列状に多数配置した物品整理具を備える。【００１１】  また、本発明に係る物品整理具は、バッグに合わせた形状をもつほか、取り外して吊り下げておくこともできる。
【発明の効果】
【００１２】  本発明によれば、バッグに収納する物品を固定板に並べ、面ファスナーで固定することにより、全体が一つの物品整理具となって、バッグに収納できるため、バッグの持ち歩きを繰り返しても、物品が移動したり片寄ったり，物品の配置が変わることがない。このため、バッグを何度持ち運びしてもバッグの形状を維持できるし，バッグ内のどこにあるか分からなくなることもない。また，この物品整理具を取り出し壁に掛けるならば、物品をばらばらに戻す手間も省けるし、そのまま収納することもできる。別のバッグを持ち運ぼうとする際には、物品が整理されたこの物品整理具をそのまま新たなバッグに入れればよく、忘れ物の可能性も低減できる。【００１３】  本発明の物品整理具は、引き出しの整理にも用いることができ、本発明の物品整理具をもちいることにより、引き出しの中の物品が引き出しを開け閉めしているうちに片寄ってしまい，引き出しが開かなくなるといった不具合も防止できる。
【図面の簡単な説明】
【００１４】
【図１】  物品整理具の構成と利用法を示す図である。
【図２】  物品整理具の構造を説明する図である。
【図３】  物品整理具の通常の状態を示す図である。
【図４】  物品整理具の応用例を示す図である。
【発明を実施するための形態】
【００１５】  以下、本発明の具体的な実施の形態について、図面を参照しながら詳細に説明する。図１は、物品整理具の構成と利用法を示す図である。物品３が整然と配置された状態で動かない様子を説明している。固定板１の上に敷いた板状面ファスナー２の上に整理する物品３を並べ，面ファスナーリボン４で挟み，物品３以外のテープリボン４の部分を板状面ファスナー２と嵌合させることにより物品３を固定する。
【００１６】  図２を参照して本発明の物品整理具の構造と原理を説明する。なお図２と図３は、構造と原理の理解を容易にするため面ファスナーリボン４の固定部５はすべて左端にあるものとして説明するが固定部５の位置はこれに限るものではない。。該物品整理具は，バッグの形状に合わせて用意された固定板１と，収納する物品３を固定する面ファスナーリボン４から成る。該固定板１の固定領域全面には幅の広い板状面ファスナー２が敷き詰められ固定されている。該板状面ファスナー２は，例えば面ファスナーのループ側とする。一方，紐状の面ファスナーリボン４は，この場合には面ファスナーのフック側となり，その面ファスナーリボン４の片側もしくは一部の固定部５が該固定板１に固定され，該固定板１全体を敷き詰めるように列状に多数並べられている。図２においては，該面ファスナーリボン４の固定はすべて固定部５が左側で行われるように図示されているが必ずしも限定されず，固定される固定部５は右左ばらばらでもよいし、中央近傍でもよい。ただし，該面ファスナーリボン４の長さは，物品３を挟み込むため，該固定板１の横幅長よりも余裕を持って長いことが望ましいが、これに限るものではない。
【００１７】  図３は，物品整理具の通常の状態を示す図である。図３に示すように，該面ファスナーリボン２の余分の長さ部分は裏側で留められている。
【００１８】  図４は，物品整理具の応用例を示す図である。図４においては、同一列に，短い面ファスナーリボン４を複数配置したり、細い面ファスナーリボン４や太い面ファスナーリボン４を任意の場所に配置したりしている。これらの面ファスナーリボン４は、固定部５が固定板１に留められており、大きな物品から、小さな物品まで柔軟に整理できるように配慮されている。また、図４における６は吊り具である。
【００１９】  本発明の物品整理具をバッグの中から取り出し，別のバッグに入れて持ち運ぶことも可能であるし，本発明の物品整理具は、吊り具６を付けることによりそのまま壁に掛けられることを特徴としており，持ち運びをしない時の整理もできるし，必要なものを常に物品整理具にまとめておくことにより、外出の際に再び物品を集めてバッグに入れる手間も省け、忘れ物の可能性も減少できる。そのほか、家における収納スペースの節約にもつながる。
【００２０】  本発明の物品整理具を，机の中の物品収容に利用するなら，物品の位置が固定されるため，引き出しの開け閉めを繰り返しても，物品が偏って引き出しが開かなくなるといった不便の解消にもつながる。また，引き出し内のスペースの有効利用にも効果がある。
【符号の説明】
【００２１】  １  固定板
２  板状面ファスナー
３  物品
４  面ファスナーリボン、
５  固定部
６  吊り具
【図１】
2019063460.tif 000003
【図２】
2019063460.tif 000004
【図３】
2019063460.tif 000005
【図４】
2019063460.tif 000006